(57)【要約】【課題】電力設備の状態を検出する。【解決手段】第１モードと前記第１モードとは異なる第２モードとが手動により選択的に設定される電力設備に設けられ、前記第１モードが設定されると開き、前記第２モードが設定されると閉じるスイッチと、前記スイッチに並列接続される抵抗と、前記抵抗に電流が流れるか否かに応じて、前記スイッチの開閉を検出する検出装置と、前記検出装置による前記スイッチの開閉の検出結果が事前に定められている前記スイッチの開閉と異なる場合、警報を発生する警報装置と、を備える。【選択図】  図１
2013089186.tif 000002
【特許請求の範囲】
【請求項１】
第１モードと前記第１モードとは異なる第２モードとが手動により選択的に設定される電力設備に設けられ、前記第１モードが設定されると開き、前記第２モードが設定されると閉じるスイッチと、
前記スイッチに並列接続される抵抗と、
前記抵抗に電流が流れるか否かに応じて、前記スイッチの開閉を検出する検出装置と、
前記検出装置による前記スイッチの開閉の検出結果が事前に定められている前記スイッチの開閉と異なる場合、警報を発生する警報装置と、
を備えたことを特徴とする電力設備の状態検出装置。
【請求項２】
前記電力設備は、複数設けられ、
前記電力設備ごとの前記抵抗の値は、相互に異なる値に設定され、
前記電力設備ごとの前記スイッチ及び前記抵抗からなる並列接続体は、直列接続され、
前記検出装置は、前記複数の並列接続体を夫々構成する前記抵抗に電流が流れるか否かに応じて、前記複数の並列接続体を夫々構成する前記スイッチの開閉を検出する
ことを特徴とする請求項１に記載の電力設備の状態検出装置。
【請求項３】
前記電力設備ごとの前記抵抗の値は、２のべき乗に応じた値に設定される
ことを特徴とする請求項２に記載の電力設備の状態検出装置。
【請求項４】
前記検出装置は、直列接続された前記複数の並列接続体の両端の電圧に基づいて、前記複数の並列接続体を夫々構成する前記スイッチの開閉を検出する
ことを特徴とする請求項２又は３に記載の電力設備の状態検出装置。
【発明の詳細な説明】
【技術分野】
【０００１】
本発明は、電力設備の状態検出装置に関する。
【背景技術】
【０００２】
例えば、水力発電所に設けられた水車発電機から漏水した水を排水するための電力設備として、排水ポンプ（特許文献１）が知られている。
【先行技術文献】
【特許文献】
【０００３】
【特許文献１】特開２００７−１６２６５９号公報
【発明の概要】
【発明が解決しようとする課題】
【０００４】
特許文献１の電力設備（排水ポンプ）は、例えば、作業員等の手動操作によって電力設備を動作させる第１モードと、所定のプログラムに基づいて自動的に電力設備を動作させる第２モードとが、電力設備に設けられた切替スイッチによって手動で選択的に設定される。この電力設備では、電力設備が第１モード、第２モードの何れのモードに設定されているかの確認は、例えば、作業員による切替スイッチの目視によって行われているため、作業員が切替スイッチを目視できない場合、電力設備の状態を確認できない虞がある。
【課題を解決するための手段】
【０００５】
前述した課題を解決する主たる本発明は、第１モードと前記第１モードとは異なる第２モードとが手動により選択的に設定される電力設備に設けられ、前記第１モードが設定されると開き、前記第２モードが設定されると閉じるスイッチと、前記スイッチに並列接続される抵抗と、前記抵抗に電流が流れるか否かに応じて、前記スイッチの開閉を検出する検出装置と、前記検出装置による前記スイッチの開閉の検出結果が事前に定められている前記スイッチの開閉と異なる場合、警報を発生する警報装置と、を備えたことを特徴とする電力設備の状態検出装置である。  
本発明の他の特徴については、添付図面及び本明細書の記載により明らかとなる。
【発明の効果】
【０００６】
本発明によれば、電力設備の状態を検出できる。
【図面の簡単な説明】
【０００７】
【図１】本発明の第１実施形態における監視装置を示す図である。
【図２】本発明の第１実施形態におけるスイッチの開閉と測定装置で検出される電圧との関係を示す図である。
【図３】本発明の第１実施形態における状態監視装置の機能を示すブロック図である。
【図４】本発明の第１実施形態における管理装置の機能を示すブロック図である。
【図５】本発明の第１実施形態における端末装置の機能を示すブロック図である。
【図６】本発明の第１実施形態における状態監視装置の動作を示すフローチャートである。
【図７】本発明の第２実施形態における状態監視装置の機能を示すブロック図である。
【図８】本発明の第２実施形態における管理装置の機能を示すブロック図である。
【発明を実施するための形態】
【０００８】
本明細書および添付図面の記載により、少なくとも以下の事項が明らかとなる。
【０００９】
[第１実施形態]
＝＝＝排水ポンプ盤＝＝＝
以下、図１を参照して、本実施形態に用いられる排水ポンプ盤について説明する。  
図１は、本実施形態における監視装置を示す図である。尚、説明の便宜上、例えば３個の排水ポンプ盤１乃至３（電力設備）が発電所２００に設けられているものとする。排水ポンプ盤１乃至３は、同様な構成であるので、排水ポンプ盤１の構成についてのみ説明し、排水ポンプ盤２、３の構成の説明は省略する。
【００１０】
排水ポンプ盤１は、発電所２００に設けられた、漏水した水を排水するための排水ポンプ（不図示）を制御するための設備である。排水ポンプ盤１は、切替スイッチＳＷ１１、スイッチＳＷ１２、端子１１、１２を有している。切替スイッチＳＷ１１は、排水ポンプ盤１に対して自動モード又は手動モードを手動で選択的に設定するためのスイッチである。尚、自動モード、手動モードの詳細については、後述する。スイッチＳＷ１２は、切替スイッチ１１によって設定されたモードに基づいて開閉するスイッチである。端子１１、１２は、排水ポンプ盤１に電気機器を接続するための、排水ポンプ盤１に設けられた端子である。端子１１、１２の間にはスイッチＳＷ１２が接続されている。
【００１１】
例えば、切替スイッチＳＷ１１をＡ１方向に回動させた場合、排水ポンプ盤１は自動モードに設定される。この場合、排水ポンプ盤１は、排水ポンプが所定のプログラムに基づいて自動的に動作するように、排水ポンプの動作モードを切り替える。又、この場合、排水ポンプ盤１に設定されたモードを示すモード信号Ｄ１に基づいて、スイッチＳＷ１２は閉じる。
【００１２】
例えば、切替スイッチＳＷ１１をＢ１方向に回動させた場合、排水ポンプ盤１は手動モードに設定される。この場合、排水ポンプ盤１は、排水ポンプが手動操作で動作するように、排水ポンプの動作モードを切り替える。この場合、例えば、排水ポンプ盤１に設けられた操作ボタン（不図示）によって、排水ポンプを起動させたり、停止させたりできる状態となる。又、この場合、排水ポンプ盤１に設定されたモードを示すモード信号Ｄ１に基づいて、スイッチＳＷ１２は開く。
【００１３】
＝＝＝監視装置＝＝＝
以下、図１を参照して、本実施形態における監視装置について説明する。  
監視装置１００は、排水ポンプ盤１乃至３に設定されたモードを監視するための装置である。監視装置１００は、測定装置４（検出装置）、状態監視装置５、管理装置６、端末装置７、例えば３個の抵抗Ｒ１乃至Ｒ３を含んで構成される。
【００１４】
抵抗Ｒ１乃至Ｒ３は夫々、スイッチＳＷ１２、ＳＷ２２、ＳＷ３２の開閉を検出するための抵抗である。抵抗Ｒ１は、スイッチＳＷ１２に対して並列接続されるように、一端が端子１１に接続され、他端が端子１２に接続される。抵抗Ｒ２は、スイッチＳＷ２２に対して並列接続されるように、一端が端子２１に接続され、他端が端子２２に接続される。抵抗Ｒ３は、スイッチＳＷ３２に対して並列接続されるように、一端が端子３１に接続され、他端が端子３２に接続される。スイッチＳＷ１２及び抵抗Ｒ１からなる並列接続体（以下、「排水ポンプ盤１の並列接続体」と称する）、スイッチＳＷ２２及び抵抗Ｒ２からなる並列接続体（以下、「排水ポンプ盤２の並列接続体」と称する）、スイッチＳＷ３２及び抵抗Ｒ３からなる並列接続体（以下、「排水ポンプ盤３の並列接続体」と称する）が直列接続されるように、端子１２と端子２１、端子２２と端子３１は接続される。尚、抵抗Ｒ１乃至Ｒ３の抵抗値については後述する。
【００１５】
測定装置４は、直列接続された排水ポンプ盤１乃至３の並列接続体に対して一定電流を供給して、直列接続された排水ポンプ盤１乃至３の並列接続体の両端の電圧を測定するための装置である。測定装置４は、例えば発電所２００内に設けられる。測定装置４は、電流源４３、電圧計４４、端子４１、４２を有している。電流源４３は、一定電流（例えば１アンペア）を供給する。電圧計４４は、端子４１、４２の間の電圧を測定する。端子４１、４２の間には電流源４３、電圧計４４が接続されている。尚、測定装置４は、電圧計４４で測定された電圧を示す電圧情報Ｄ４を、例えば１秒間隔で状態監視装置５に送信するものとする。
【００１６】
状態監視装置５は、排水ポンプ盤１乃至３に設定されたモードを、電圧情報Ｄ４に基づいて監視する。又、状態監視装置５は、発電所２００の排水ポンプ盤１乃至３が設けられた建屋（不図示）（以下、「発電所２００の建屋」と称する）への入室を管理する。状態監視装置５は、例えば発電所２００内に設けられる。尚、状態監視装置５の詳細については後述する。
【００１７】
管理装置６は、状態監視装置５の監視結果を表示したり、端末装置７に警報を発生させたりする装置である。管理装置６は、例えば制御所３００内に設けられる。尚、管理装置６の詳細については後述する。
【００１８】
端末装置７は、例えば発電所２００の建屋内で作業を行う作業員が携帯する装置である。尚、端末装置７の詳細については後述する。
【００１９】
＝＝＝抵抗値、測定装置の測定結果＝＝＝
以下、図１、図２を参照して、本実施形態における抵抗の抵抗値と測定装置の測定結果について説明する。
【００２０】
図２は、本実施形態におけるスイッチの開閉と測定装置で検出される電圧との関係を示す図である。  
抵抗Ｒ１乃至Ｒ３の抵抗値は、測定装置４で測定された電圧に基づいてスイッチＳＷ１２、ＳＷ２２、ＳＷ３２夫々の開閉を検出できるように、相互に異なる２のべき乗に応じた値に設定される。抵抗Ｒ１乃至Ｒ３の抵抗値は夫々、例えば、１オーム、２オーム、４オームに設定される。
【００２１】
例えば、スイッチＳＷ１２、ＳＷ２２、ＳＷ３２が全て閉じた（ＯＮ）場合（ケース０）、抵抗Ｒ１乃至Ｒ３に電流（例えば１アンペア）が供給されないので、測定装置４の測定結果は０ボルトとなる。例えば、スイッチＳＷ１２、ＳＷ２２、ＳＷ３２が夫々、開（ＯＦＦ）、閉、閉とされた場合（ケース１）、抵抗Ｒ１に電流が供給されて、抵抗Ｒ２、Ｒ３に電流が供給されないので、測定装置４の測定結果は１ボルトとなる。例えば、スイッチＳＷ１２、ＳＷ２２、ＳＷ３２が夫々、ＯＮ、ＯＦＦ、ＯＮとされた場合（ケース２）、抵抗Ｒ２に電流が供給されて、抵抗Ｒ１、Ｒ３に電流が供給されないので、測定装置４の測定結果は２ボルトとなる。例えば、スイッチＳＷ１２、ＳＷ２２、ＳＷ３２が夫々、ＯＦＦ、ＯＦＦ、ＯＮとされた場合（ケース３）、抵抗Ｒ１、Ｒ２に電流が供給されて、抵抗Ｒ３に電流が供給されないので、測定装置４の測定結果は３ボルトとなる。例えば、スイッチＳＷ１２、ＳＷ２２、ＳＷ３２が夫々、ＯＮ、ＯＮ、ＯＦＦとされた場合（ケース４）、抵抗Ｒ３に電流が供給されて、抵抗Ｒ１、Ｒ２に電流が供給されないので、測定装置４の測定結果は４ボルトとなる。例えば、スイッチＳＷ１２、ＳＷ２２、ＳＷ３２が夫々、ＯＦＦ、ＯＮ、ＯＦＦとされた場合（ケース５）、抵抗Ｒ１、Ｒ３に電流が供給されて、抵抗Ｒ２に電流が供給されないので、測定装置４の測定結果は５ボルトとなる。例えば、スイッチＳＷ１２、ＳＷ２２、ＳＷ３２が夫々、ＯＮ、ＯＦＦ、ＯＦＦとされた場合（ケース６）、抵抗Ｒ２、Ｒ３に電流が供給されて、抵抗Ｒ１に電流が供給されないので、測定装置４の測定結果は６ボルトとなる。例えば、スイッチＳＷ１２、ＳＷ２２、ＳＷ３２が全てＯＦＦとされた場合（ケース７）、抵抗Ｒ１乃至３に電流が供給されるので、測定装置４の測定結果は７ボルトとなる。
【００２２】
＝＝＝状態監視装置＝＝＝
以下、図１乃至図３を参照して、本実施形態における状態監視装置について説明する。図３は、本実施形態における状態監視装置の機能を示すブロック図である。
【００２３】
状態監視装置５は、送受信部５１、読取部５２、入力部５３、比較部５４、表示警報部５５、入室管理部５６、制御部５７、計時部５８、記憶部５９を有している。尚、比較部５４、表示警報部５５が、警報装置に相当する。スイッチＳＷ１２、ＳＷ２２、ＳＷ３２、抵抗Ｒ１乃至Ｒ３、測定装置４、比較部５４、表示警報部５５が、電力設備の状態検出装置に相当する。
【００２４】
送受信部５１は、測定装置４から電圧情報Ｄ４を受信したり、管理装置６に対して監視情報Ｄ５を送信したりする。尚、監視情報Ｄ５には、電圧情報Ｄ４と、後述する比較部５４から出力される比較情報とが含まれているものとする。
【００２５】
読取部５２は、端末装置７との間で近距離無線通信を行って、端末装置７のメモリ（不図示）に記憶された識別番号を読み取るための装置である。尚、端末装置７の詳細については後述する。読取部５２は、端末装置７との間で近距離無線通信を行うための電波を例えば１秒間隔で発射しており、端末装置７と読取部５２との間の距離が例えば１０センチメートル以内となった際に、端末装置７の識別番号を示す識別情報を端末装置７から受信するものとする。
【００２６】
入力部５３は、状態監視装置５に対して情報を入力するための例えばキーボードである。  
計時部５８は、現在時刻を計時するタイマである。
【００２７】
記憶部５９は、例えば第１の領域５９１、第２の領域５９２、第３の領域５９３、第４の領域５９４を有している。第１の領域５９１には、状態監視装置５を動作させるためのプログラムが記憶される。第２の領域５９２には、発電所２００の建屋に入室するときに受信した電圧情報Ｄ４（以下、「入室時の電圧情報」と称する）が記憶される。第３の領域５９３には、発電所２００の建屋から退室するときに受信した電圧情報Ｄ４（以下、「退室時の電圧情報」と称する）が記憶される。第４の領域５９４には、端末装置７の識別番号を認証するための認証情報が記憶される。
【００２８】
比較部５４は、入室時の電圧情報に示された電圧値と、退室時の電圧情報に示された電圧値とが一致しているか否か比較し、比較結果を示す比較情報を出力する。
【００２９】
表示警報部５５は、比較部５４から出力された比較情報に基づいて、入室時の電圧情報に示された電圧値と、退室時の電圧情報に示された電圧値とが一致していない場合、警報を発生する装置である。表示警報部５５は、例えば警報音を発生するスピーカ（不図示）、比較情報に基づく情報を表示するためのディスプレイ（不図示）を有している。
【００３０】
入室管理部５６は、読取部５２で受信した識別情報と、第４の領域５９４に記憶された認証情報とに基づいて、発電所２００の建屋の入口（不図示）の錠前を開錠したり、施錠したりする。例えば、読取部５２で受信した識別情報が、発電所２００の建屋への入室を許可されたものと認証された場合、入室管理部５６は、発電所２００の建屋の入口の錠前を開錠する。一方、例えば、読取部５２で受信した識別情報が、発電所２００の建屋への入室を許可されたものと認証されない場合、入室管理部５６は、発電所２００の建屋の入口の錠前を開錠しない。 
制御部５７は、第１の領域５９１に記憶されたプログラムに基づいて、状態監視装置５を制御する。
【００３１】
＝＝＝管理装置＝＝＝
以下、図１乃至図４を参照して、本実施形態における管理装置について説明する。図４は、本実施形態における管理装置の機能を示すブロック図である。  
管理装置６は、送受信部６１、入力部６２、表示部６３、判断部６４、計時部６５、制御部６６、記憶部６７を有している。
【００３２】
送受信部６１は、状態監視装置５から監視情報Ｄ５を受信する。送受信部６１は、端末装置７に対して、警報を発生させたり、情報を表示させたりする指示情報Ｄ７を送信する。送受信部６１は、端末装置７から端末装置７の位置を示す位置情報Ｄ８を受信する。尚、端末装置７の詳細については後述する。
【００３３】
入力部６２は、管理装置６に対して情報を入力するための例えばキーボードである。  
表示部６３は、比較情報に基づく情報を表示するための例えばディスプレイである。  
計時部６５は、現在時刻を計時するタイマである。
【００３４】
記憶部６７は、例えば第１の領域６７１、第２の領域６７２、第３の領域６７３を有している。第１の領域６７１には、管理装置６を動作させるためのプログラムが記憶される。第２の領域６７２には、測定装置４で測定された電圧と、監視情報Ｄ５を受信した時刻とが関連付けられた状態で記憶される。第３の領域６７３には、例えば発電所２００の建屋の位置を示す位置情報が記憶される。
【００３５】
判断部６４は、端末装置７から受信した位置情報Ｄ８、第３の領域６７３に記憶された位置情報に基づいて、発電所２００の建屋と端末装置７との間の距離が所定距離（例えば１００メートル）以上となったか否かを判断する。
【００３６】
制御部６６は、第１の領域６７１に記憶されたプログラムに基づいて、管理装置６を制御する。
【００３７】
例えば、入室時の電圧情報に示された電圧値と、退室時の電圧情報に示された電圧値とが一致していない場合、制御部６６は、表示部６３に、例えば、スイッチＳＷ１２、ＳＷ２２、ＳＷ３２開閉のうち、何れのスイッチの開閉が一致していないかを表示する。
【００３８】
例えば、発電所２００の建屋と端末装置７との間の距離が所定距離以上となったと判断部６４が判断した場合、制御部６６は、端末装置７に対して警報を発生させるための指示情報Ｄ７を送受信部６１から送信する。
【００３９】
例えば、端末装置７に表示させる情報が入力部６２から入力された場合、制御部６６は、端末装置７に情報を表示させるための指示情報Ｄ７を送受信部６１から送信する。
【００４０】
＝＝＝端末装置＝＝＝
以下、図１乃至図５を参照して、本実施形態における端末装置について説明する。図５は、本実施形態における端末装置の機能を示すブロック図である。  
端末装置７は、送受信部７１、表示部７２、位置検出部７３、記憶部７４、無線通信部７５、制御部７６、警報部７７を有している。
【００４１】
送受信部７１は、管理装置６から指示情報Ｄ７を受信したり、位置情報Ｄ８を送信したりする。送受信部７１は、例えば３０秒毎に位置情報Ｄ８を送信するものとする。  
表示部７２は、指示情報Ｄ７に基づく情報を表示するための例えばディスプレイである。  
位置検出部７３は、例えばＧＰＳ衛星を利用して端末装置７の位置を検出する装置である。
【００４２】
記憶部７４は、例えば第１の領域７４１、第２の領域７４２を有している。  
第１の領域７４１には、端末装置７を制御するためのプログラムが記憶される。第２の領域７４２には、例えば発電所２００の建屋に入室するための識別番号が記憶される。
【００４３】
無線通信部７５は、端末装置７と読取部５２との間の距離が例えば１０センチメートル以内となった際に、読取部５２との間で近距離無線通信を行う。  
制御部７６は、第１の領域７４１に記憶されたプログラムに基づいて、端末装置７を制御する。
【００４４】
警報部７７は、指示情報Ｄ７に基づいて、警報を発生する例えばスピーカである。  
例えば、指示情報Ｄ７を受信した場合、制御部７６は、表示部７２に情報を表示させたり、警報部７７から警報を発生させたりする。
【００４５】
＝＝＝状態監視装置の動作＝＝＝
以下、図１乃至図６を参照して、本実施形態における状態監視装置の動作について説明する。図６は、本実施形態における状態監視装置の動作を示すフローチャートである。  
例えば、状態監視装置５の開始ボタン（不図示）を押下して、第１の領域５９１に記憶されたプログラムの実行が開始し、制御部５７が状態監視装置５の制御動作を開始したところから説明する。
【００４６】
状態監視装置５は、読取部５２と端末装置７との間で近距離無線通信が行われるように、端末装置７が読取部５２にかざされた否かを判断する（ステップＳ１）。例えば、端末装置７が読取部５２にかざされない場合（ステップＳ１のＮＯ）、状態監視装置５は、上記ステップＳ１の判断を再度行う。一方、例えば、端末装置７が読取部５２にかざされた場合（ステップＳ１のＹＥＳ）、状態監視装置５は、入室時の電圧情報を第２の領域５９２に記憶する（ステップＳ２）。
【００４７】
状態監視装置５は、読取部５２と端末装置７との間で近距離無線通信が行われるように、端末装置７が読取部５２にかざされた否かを再度判断する（ステップＳ３）。例えば、端末装置７が読取部５２にかざされない場合（ステップＳ３のＮＯ）、状態監視装置５は、上記ステップＳ３の判断を再度行う。一方、例えば、端末装置７が読取部５２にかざされた場合（ステップＳ３のＹＥＳ）、状態監視装置５は、退室時の電圧情報を第３の領域５９３に記憶する（ステップＳ４）。
【００４８】
状態監視装置５は、入室時の電圧情報に示された電圧値と、退室時の電圧情報に示された電圧値とが一致しているか否かを比較し、比較結果を示す比較情報を出力する（ステップＳ５）。状態監視装置５は、比較情報に基づいて、入室時の電圧情報に示された電圧値（以下、「入室時の電圧値」と称する）と、退室時の電圧情報に示された電圧値（以下、「退室時の電圧値」と称する）とが一致しているか否かを判断する（ステップＳ６）。例えば、入室時の電圧値と退室時の電圧値とが一致していると判断された場合（ステップＳ６のＹＥＳ）、制御部５７は、状態監視装置５の制御動作を終了する。一方、例えば、入室時の電圧値と退室時の電圧値とが一致していないと判断された場合（ステップＳ６のＮＯ）、状態監視装置５は、表示警報部５５から警報を発生させる（ステップＳ７）。状態監視装置５は、表示警報部５５から警報を発生させてから所定時間以内に、読取部５２と端末装置７との間で近距離無線通信が行われるように、端末装置７が読取部５２にかざされた否かを判断する（ステップＳ８）。例えば、所定時間以内に、端末装置７が読取部５２にかざされない場合（ステップＳ８のＮＯ）、制御部５７は状態監視装置５の制御動作を終了する。一方、例えば、所定時間以内に、端末装置７が読取部５２にかざされた場合（ステップＳ８のＹＥＳ）、状態監視装置５は、上記ステップＳ４の制御を再度行う。
【００４９】
前述したように、排水ポンプ盤１は、自動モードと手動モードとが手動により選択的に設定される。スイッチＳＷ１２は、排水ポンプ盤１に設けられる。例えば、排水ポンプ盤１が自動モードに設定された場合、スイッチＳＷ１２は閉じる。例えば、排水ポンプ盤１が手動モードに設定された場合、スイッチＳＷ１２は開く。抵抗Ｒ１は、スイッチＳＷ１２に対して並列接続される。測定装置４は、抵抗Ｒ１に電流が流れるか否かに応じて、スイッチＳＷ１２の開閉を検出する。表示警報部５５は、第２の領域５９２に記憶された電圧情報に示される電圧値と、第３の領域５９３に記憶された電圧情報に示される電圧値とが一致していない場合、警報を発生する。よって、監視装置１００は、排水ポンプ盤１（電力設備）が自動モードと手動モードの何れのモードに設定されているかの、電力設備の状態を検出できる。
【００５０】
又、排水ポンプ盤１乃至３に夫々設けられた抵抗Ｒ１乃至Ｒ３の抵抗値は、異なる値に設定される。排水ポンプ盤１乃至３の並列接続体は、直列接続される。測定装置４は、抵抗Ｒ１乃至Ｒ３に電流が流れるか否かに応じて、スイッチＳＷ１２、ＳＷ２２、ＳＷ３２の開閉を検出する。よって、複数の電力設備の状態を検出できる。
【００５１】
又、抵抗Ｒ１乃至Ｒ３の抵抗値は、２のべき乗に応じた値に設定される。よって、例えば、スイッチＳＷ１２、ＳＷ２２、ＳＷ３２の開閉を、測定装置４で測定された電圧の値から容易に判断できる。よって、利便性の高い電力設備の状態検出装置を提供できる。
【００５２】
又、検出装置４は、直列に接続された排水ポンプ盤１乃至３の並列接続体の両端の電圧に基づいて、スイッチＳＷ１２、ＳＷ２２、ＳＷ３２の開閉を検出する。よって、複数の電力設備の状態を検出するとき、複数の電力設備と測定装置４との間の配線を単純にできる。従って、電力設備の状態検出装置の利便性を更に向上できる。
【００５３】
又、例えば、第２の領域５９２に入室時の電圧情報が記憶され、第３の領域５９３に退室時の電圧情報が記憶されている場合、発電所２００の建屋から退室するときの電力設備の状態が、入室するときの電力設備の状態と異なる際、警報が発生する。よって、発電所２００の建屋内で作業を行った際、電力設備のモードの戻し忘れを防止できる。
【００５４】
又、管理装置６の第２の領域６７２には、監視情報Ｄ５に基づいて、測定装置４で測定された電圧と、監視情報Ｄ５を受信した時刻とが関連付けられた状態で記憶される。よって、第２の領域６７２に記憶された情報を確認することによって、発電所２００の電力設備の状態を、発電所２００から離れた例えば制御所３００で確認できる。
【００５５】
又、発電所２００の建屋と端末装置７との間の距離が所定距離以上となったとき、管理装置６は、端末装置７に警報を発生させる。よって、例えば、発電所２００の建屋から退室するときの電力設備の状態が、入室するときの電力設備の状態と一致するか否かの確認を行わずに、発電所２００の建屋から端末装置７を携帯した作業員が離れるのを防止できる。
【００５６】
[第２実施形態]
＝＝＝監視装置、状態監視装置、管理装置＝＝＝
本実施形態における監視装置１００Ａは、第１実施形態における状態監視装置５、管理装置６を夫々、状態監視装置５Ａ、管理装置６Ａに変更したものである。尚、状態監視装置５Ａ、管理装置６Ａ以外の構成は、第１実施形態における監視装置１００と同様であるので、その説明は省略する。
【００５７】
以下、図１、図７、図８を参照して、本実施形態における監視装置、状態監視装置、管理装置について説明する。図７は、本実施形態における状態監視装置の機能を示すブロック図である。尚、図３に示された機能を示すブロックと同様な機能を示すブロックについては、同様な符号を付すのみで、その説明は省略する。図８は、本実施形態における管理装置の機能を示すブロック図である。尚、図４に示された機能を示すブロックと同様な機能を示すブロックについては、同様な符号を付すのみで、その説明は省略する。
【００５８】
監視装置１００Ａは、状態監視装置５Ａ、管理装置６Ａを有している。  
状態監視装置５Ａは、通常状態設定部５８Ａ、記憶部５９Ａを有している。記憶部５９Ａは、例えば第５の領域５９５Ａを有している。第５の領域５９５Ａには、第３の領域５９３に記憶された退室時の電圧情報に示される電圧値と比較するための、管理装置６Ａから送信された情報に基づく作業後の電圧情報が記憶される。通常状態設定部５８Ａは、管理装置６Ａから送信された情報に基づいて、作業後の電圧情報を第５の領域５９５Ａに記憶する。
【００５９】
管理装置６Ａは、送受信部６１Ａ、選択部６６Ａを有している。送受信部６１Ａは、入力部６２によって管理装置６Ａに入力された情報に基づいて、作業後の電圧情報を状態監視装置５Ａに送信する。選択部６６Ａは、状態監視部５Ａで第３の領域５９３に記憶された退室時の電圧情報に示される電圧値の比較対象を、第２の領域５９２に記憶された入室時の電圧情報に示される電圧値、第５の領域５９５Ａに記憶された作業後の電圧情報に示された電圧値から選択する。
【００６０】
前述したように、入室時の電圧情報に示される電圧値、作業後の電圧情報に示された電圧値のうち何れか一方を、退室時の電圧情報に示される電圧値の比較対象として選択できる。よって、例えば電力設備のモードを所定のモードに変更した後の状態で測定装置４によって測定される電圧を、作業後の電圧情報として記憶した際、電力設備のモードが所定のモードに変更されているか否かを検出できる。又、選択部６６Ａによって比較対象を選択できるので、電力設備の状態検出装置の利便性を更に向上できる。
【００６１】
尚、上記第１及び第２実施形態は、本発明の理解を容易にするためのものであり、本発明を限定して解釈するためのものではない。本発明は、その趣旨を逸脱することなく、変更、改良され得るとともに、本発明にはその等価物も含まれる。
【００６２】
第１実施形態においては、測定装置４で電圧を測定する構成について説明したが、これに限定されるものではない。例えば、測定装置４から一定電圧を出力して、電流を測定する構成としてもよい。
【００６３】
又、第１実施形態においては、例えば１個の測定装置４によって電力設備の状態を検出する構成について説明したが、これに限定されるものではない。例えば、測定装置４と同様な測定装置を複数設けて、各測定装置から送信される電圧情報に基づいて、電力設備の状態を検出する構成としてもよい。その場合、例えば、スイッチ及び抵抗からなる並列接続体を直列接続する数を減らすことができる。よって、直列接続された並列接続体に対して一定電流を供給するための電流源の電力を低減できる。従って、汎用的な電流源を利用できるので、電力設備の状態検出装置を低コストで提供できる。
【００６４】
又、第１実施形態においては、電力設備の状態検出装置を用いて排水ポンプ盤の状態を検出する構成について説明したが、これに限定されるものではない。例えば、変電所に設けられた所内変圧器を切り替えるためのＧＰＴ盤の状態を検出する構成としてもよい。
【符号の説明】
【００６５】
１、２、３    排水ポンプ盤
４            測定装置
５、５Ａ      状態監視装置
６、６Ａ      管理装置
７            端末装置
１１、１２、２１、２２、３１、３２、４１、４２  端子
４３          電流源
４４          電圧計
５１、６１、６１Ａ、７１  送受信部
５２          読取部
５３、６２    入力部
５４          比較部
５５          表示警報部
５６          入室管理部
５７、６６、７６  制御部
５８、６５    計時部
５８Ａ        通常状態設定部
５９、５９Ａ、６７、７４  記憶部
６３、７２    表示部
６４          判断部
６６Ａ        選択部
７３          位置検出部
７５          無線通信部
７７          警報部
１００、１００Ａ  監視装置
２００        発電所
３００        制御所
５９１、６７１、７４１  第１の領域
５９２、６７２、７４２  第２の領域
５９３、６７３          第３の領域
５９４                  第４の領域
５９５Ａ                第５の領域
ＳＷ１１、ＳＷ２１、ＳＷ３１  切替スイッチ
ＳＷ１２、ＳＷ２２、ＳＷ３２  スイッチ
【図１】
2013089186.tif 000003
【図２】
2013089186.tif 000004
【図３】
2013089186.tif 000005
【図４】
2013089186.tif 000006
【図５】
2013089186.tif 000007
【図６】
2013089186.tif 000008
【図７】
2013089186.tif 000009
【図８】
2013089186.tif 000010